(57)【要約】【課題】引出へのレールの取付強度を高めることができるチェストを提供する。【解決手段】引出側レール１６１のレール側壁面１７１に引出１３と係合する係止爪１７４を切り起こす。引出１３の側面１５１に凹部１８１を形成し、凹部１８１で形成された段差からなるレール支持面１８２を引出１３の側面１５１の延長上に設ける。レール支持面１８２に下方突出部１８３を設け、下方突出部１８３の段差面１８４に引出側レール１６１の係止爪１７４が挿入される被係止穴１８５を設ける。引出側レール１６１の係止爪１７４を被係止穴１８５に係止した状態で、レール側壁面１７１をレール支持面１８２で支持し、引出側レール１６１に加わる荷重をレール支持面１８２で受ける。【選択図】図１２
0003149900.tif 000002
【実用新案登録請求の範囲】
【請求項１】
チェスト本体に収容される引出にレールが設けられたチェストにおいて、
前記引出に前記レールを取り付けた状態で該レールの端部に当接して当該レールに加わる荷重を支持する支持面を前記引出に形成したことを特徴とするチェスト。
【請求項２】
前記支持面を前記引出の奥行き方向に延設したことを特徴とする請求項１記載のチェスト。
【請求項３】
前記端部は、高さ方向に向いて延在する面の上端部であることを特徴とする請求項１又は２記載のチェスト。
【請求項４】
前記引出の側面に内側へ後退する凹部を設けて前記支持面を前記側面の直線延長上に形成したことを特徴とする請求項１、２又は３記載のチェスト。
【請求項５】
チェスト本体に収容される引出にレールが設けられたチェストにおいて、
前記引出に延設される前記レールの壁面に、前記引出に係止される係止部を設ける一方、
前記引出に、前記係止部と係合する被係止部を設けるとともに、該被係止部に前記係止部を係止した状態で前記レールの前記壁面に当接して当該レールに加わる荷重を支持する支持面を前記引出に形成したことを特徴とするチェスト。
【請求項６】
前記支持面を前記引出の奥行き方向に延設したことを特徴とする請求項５記載のチェスト。
【請求項７】
前記引出の側面に内側へ後退する凹部を設けて前記支持面を前記側面の直線延長上に形成したことを特徴とする請求項５又は６記載のチェスト。
【請求項８】
前記レールの前記壁面の一部を切り起こして前記係止部を形成するとともに、前記引出に前記係止部が挿入される前記被係止部を設けたことを特徴とする請求項５、６又は７記載のチェスト。
【考案の詳細な説明】
【技術分野】
【０００１】
本考案は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
前記引出には、レールが取り付けられており、チェスト本体のフレームに設けられたローラに支持されるように構成されている。
【０００５】
これにより、前記引出の移動をスムーズに行えるように構成されている。
【考案の概要】
【考案が解決しようとする課題】
【０００６】
しかしながら、このようなチェストにおいては、引出に対するレールの取付強度を確保する為に苦労を要した。
【０００７】
本考案は、このような従来の課題に鑑みてなされたものであり、引出へのレールの取付強度を高めることができるチェストを提供することを目的とするものである。
【課題を解決するための手段】
【０００８】
前記課題を解決するために本考案の請求項１のチェストにあっては、チェスト本体に収容される引出にレールが設けられたチェストにおいて、前記引出に前記レールを取り付けた状態で該レールの端部に当接して当該レールに加わる荷重を支持する支持面を前記引出に形成した。
【０００９】
すなわち、引出にレールを取り付けた状態において、前記レールの端部は前記引出に設けられた支持面に支持され、当該レールに加わる荷重が当該支持面によって支持される。
【００１０】
これにより、前記レールに加わる荷重は、前記引出に設けられた前記支持面に分散される。
【００１１】
また、請求項２のチェストにおいては、前記支持面を前記引出の奥行き方向に延設した。
【００１２】
さらに、請求項３のチェストでは、前記端部は、高さ方向に向いて延在する面の上端部である。
【００１３】
これにより、前記レールの高さ方向に向いて延在する面の上端部が、前記支持面で支持される。
【００１４】
加えて、請求項４のチェストにあっては、前記引出の側面に内側へ後退する凹部を設けて前記支持面を前記側面の直線延長上に形成した。
【００１５】
すなわち、前記引出の側面には、内側へ後退する凹部が形成されており、この凹部によって前記支持面が前記側面の直線延長上に形成されている。
【００１６】
このため、前記レールに加わる荷重は、前記支持面を介して前記引出の側面に入力される。
【００１７】
また、本考案の請求項５のチェストにあっては、チェスト本体に収容される引出にレールが設けられたチェストにおいて、前記引出に延設される前記レールの壁面に、前記引出に係止される係止部を設ける一方、前記引出に、前記係止部と係合する被係止部を設けるとともに、該被係止部に前記係止部を係止した状態で前記レールの前記壁面に当接して当該レールに加わる荷重を支持する支持面を前記引出に形成した。
【００１８】
すなわち、引出にレールを取り付ける際には、前記レールの壁面に設けられた係止部を、前記引出に設けられた被係止部に係合する。すると、この係合状態において、前記レールの前記壁面は、前記引出に設けられた支持面に支持され、当該レールに加わる荷重が当該支持面によって支持される。
【００１９】
これにより、前記レールに加わる荷重は、前記引出に設けられた被係止部と前記支持面とに分散される。
【００２０】
さらに、請求項６のチェストにおいては、前記支持面を前記引出の奥行き方向に延設した。
【００２１】
加えて、請求項７のチェストでは、前記引出の側面に内側へ後退する凹部を設けて前記支持面を前記側面の直線延長上に形成した。
【００２２】
すなわち、前記引出の側面には、内側へ後退する凹部が形成されており、この凹部によって前記支持面が前記側面の直線延長上に形成されている。
【００２３】
このため、前記レールに加わる荷重は、前記支持面を介して前記引出の側面に入力される。
【００２４】
また、請求項８のチェストにあっては、前記レールの前記壁面の一部を切り起こして前記係止部を形成するとともに、前記引出に前記係止部が挿入される前記被係止部を設けた。
【００２５】
すなわち、前記レールの前記壁面の一部を切り起こすことによって、前記係止部が形成される。また、前記引出に前記係止部が挿入される穴等を設けることによって前記被係止部が形成される。
【考案の効果】
【００２６】
以上説明したように、本考案の請求項１及び請求項２のチェストにあっては、前記レールに加わる荷重を、前記引出に設けられた支持面に分散することができる。
【００２７】
このため、レールに加わる荷重を、固定部のみで支持する場合と比較して、前記引出に対する前記レールの取付強度を高めることができる。
【００２８】
また、請求項３のチェストにおいては、前記レールの高さ方向に向いて延在する面の上端部を、前記支持面で支持することができる。
【００２９】
さらに、請求項４のチェストにおいては、前記引出の側面には、内側へ後退する凹部が形成されており、この凹部によって前記支持面が前記側面の直線延長上に形成されている。
【００３０】
このため、前記レールに加わる荷重を、前記支持面を介して前記引出の側面に入力することができる。これにより、前記レールを前記引出の底面で支持する場合と比較して、取付強度をさらに高めることができる。
【００３１】
また、本考案の請求項５及び請求項６のチェストにあっては、前記レールに加わる荷重を、前記引出に設けられた被係止部と前記支持面とに分散することができる。
【００３２】
このため、レールに加わる荷重を、引出に設けられた被係止部のみで支持する場合と比較して、前記引出に対する前記レールの取付強度を高めることができる。
【００３３】
さらに、請求項７のチェストにおいては、前記引出の側面には、内側へ後退する凹部が形成されており、この凹部によって前記支持面が前記側面の直線延長上に形成されている。
【００３４】
このため、前記レールに加わる荷重を、前記支持面を介して前記引出の側面に入力することができる。これにより、前記レールを前記引出の底面で支持する場合と比較して、取付強度をさらに高めることができる。
【００３５】
加えて、請求項８のチェストでは、前記レールの前記壁面の一部を切り起こすことによって、前記係止部を形成することができる。また、前記引出に前記係止部が挿入される穴等を設けることによって前記被係止部を形成することができる。
【００３６】
これにより、構成の簡素化を図ることができる。
【図面の簡単な説明】
【００３７】
【図１】本考案の第１の実施の形態の正面を示す一部断面図である。
【図２】同実施の形態の側面図である。
【図３】同実施の形態の要部を示す一部断面図である。
【図４】同実施の形態のフレームを示す断面図である。
【図５】同実施の形態のフレームの要部を示す断面図である。
【図６】同実施の形態のフレームの要部を示す平面図である。
【図７】同実施の形態のフレーム構成部材の要部を示す図であり、（ａ）は支柱の取付部部分を示す断面図であり、（ｂ）は取付部に支持部品を取り付けた状態を示す側面図である。
【図８】同実施の形態の要部を示す断面図である。
【図９】同実施の形態の引出側レールを示す図で、（ａ）は平面図であり、（ｂ）は側面図である。
【図１０】同実施の形態の動作を示す説明図である。
【図１１】図１０に続く動作を示す説明図である。
【図１２】同実施の形態の要部を示す断面図である。
【図１３】本考案の第２の実施の形態を示す図で、（ａ）は斜視図であり、（ｂ）は要部の断面図である。
【図１４】本考案の第３の実施の形態を示す図で、（ａ）は斜視図であり、（ｂ）は要部の拡大図である。
【図１５】（ａ）は、本考案の第４の実施の形態を示す図であり、（ｂ）は本考案の第５の実施の形態を示す図である。
【考案を実施するための形態】
【００３８】
（第１の実施の形態）
【００３９】
以下、本考案の第１の実施の形態を図に従って説明する。図１は、本実施の形態にかかるチェスト１を示す図であり、該チェスト１は、衣類や小物などを収納するものである。
【００４０】
このチェスト１は、図２にも示すように、フレーム１１を形成するチェスト本体１２と、該チェスト本体１２に設けられた矩形容器状の引出１３，１３とによって構成されている。
【００４１】
前記チェスト本体１２を形成する前記フレーム１１は、上下に連結された二つ合成樹脂製のフレーム構成部材２１，２１によって構成されており、下段のフレーム構成部材２１の底面２２裏側には、キャスター２３，・・・が四隅に設けられている。上段のフレーム構成部材２１には、合成樹脂製の天板２４が設けられており、両フレーム構成部材２１，２１間及び上段のフレーム構成部材２１と前記天板２４間には、合成樹脂製の前記引出１３，１３が引き出し自在に保持されている。
【００４２】
前記フレーム構成部材２１は、図３及び図４に示すように、中央部に矩形開口部３１が形成された長方形状の底板部３２と、該底板部３２の四隅に一体形成された支柱３３，・・・とによって構成されており、当該フレーム構成部材２１は、前記支柱３３，・・・の長さ方向に型開きされる金型によって形成されている。
【００４３】
該支柱３３は、四角柱状に形成されており、図４に示したように、前記底板部３２に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４３が形成されている。下段のフレーム構成部材２１の支柱３３の挿入部４２は、図３に示したように、上段のフレーム構成部材２１の支柱３３下部に挿入された状態で固定されており、上段のフレーム構成部材２１の支柱３３の挿入部４２は、前記天板２４に挿入された状態で固定されている。
【００４４】
前記フレーム構成部材２１における前後の支柱３３，３３間には、図４及び図５に示すように、フレーム側レール５１が設けられている。
【００４５】
すなわち、両支柱３３，３３間には、下部側壁面６１が両支柱３３，３３の下部に一体形成されており、該下部側壁面６１には、前記引出１３の出し入れ方向に延在する内側へ向けて突出した上方ガイド部６２が当該フレーム構成部材２１の前記底板部３２の底面２２に沿って形成されている。これにより、当該フレーム構成部材２１には、前記上方ガイド部６２と、該上方ガイド部６２に対向した前記底板部３２の対向部位に膨出形成された下方ガイド部６３とによって、前記フレーム側レール５１が構成されている。
【００４６】
前記上方ガイド部６２は、図５に示したように、前記下部側壁面６１より延出した板状のガイド部本体７１と、該ガイド部本体７１の先端部に一体形成されたリブ７２とによって構成されている。該リブ７２は、前記下方ガイド部６３と対向する前記ガイド部本体７１の下面７３の逆側面を構成する前記上面７４に形成されており、当該ガイド部本体７１の延出方向と直交する直交方向へ向けて立設され、補強されている。
【００４７】
なお、本実施の形態においては、前記板状のガイド部本体７１に前記リブ７２を設けて断面Ｌ字状の前記下部側壁面６１を形成した場合を例に挙げて説明するが、これに限定されるものでは無く、板状の前記板状のガイド部本体７１のみで前記下部側壁面６１を構成しても良い。
【００４８】
前記上方ガイド部６２は、図４及び図６に示したように、その奥側を構成する後端部が切欠されており、欠損した後方切欠部８１が形成されている。これにより、当該上方ガイド部６２は、奥側の支柱３３より手前側で終了するように構成されている。また、前記上方ガイド部６２は、その手前側を構成する前端部も切欠されており、欠損した前方切欠部８２が形成されている。これにより、当該上方ガイド部６２は、手前側の支柱３３より奥側で終了するように構成されている。
【００４９】
このフレーム構成部材２１の支柱３３，３３の内側面には、内側に突出した突出部９１，９１が上端部から下端に渡って形成されており、前方Ｆ側に配置された支柱３３における前記突出部９１は、下端部において前方に延出している。この前方に突出した前方突出部９２には、図７にも示すように、上下に延在する溝状の取付部９３が形成されており、該取付部９３は、図４に示したように、当該フレーム構成部材２１を形成する金型の金型移動方向９４に延在するとともに、当該金型が型抜き時に移動される方向と同方向である上方へ向けて開口するように構成されている。
【００５０】
この取付部９３は、図７に示したように、前記突出部９１に開口した幅狭部１０１と、該幅狭部１０１の奥側に設けられた幅広部分１０２とによって構成されている。これにより、前記幅狭部１０１の両脇には、当該幅狭部１０１の内側に突出した突片１０３，１０３が形成されている。
【００５１】
この取付部９３の上方開口部からは、支持部を構成する支持部品１１１が挿入された状態で固定されるように構成されている。
【００５２】
この支持部品１１１を構成するベース部材１２１は、合成樹脂によって形成されており、当該ベース部材１２１には、金属製のフレーム側ローラー１２２が回動自在に支持されている。これにより、この支持部品の前記ベース部材１２１を、図４に示したように、前記取付部９３に固定した状態で、前記フレーム側ローラー１２２を前記フレーム側レール５１の延長上に配置できるように構成されている。
【００５３】
このフレーム構成部材２１の左右の支柱３３，・・・間に保持される前記引出１３は、合成樹脂によって形成されており、図８に示したように、上方が開口した矩形容器状に形成されている。この引出１３は、上下方向に型開きされる金型によって成形されており、左右の側面１５１，１５１の横幅寸法及び前面１５２並びに後面１５３の奥行き寸法は、抜き勾配によって底面１５４側へ下方へ向かうに従って小さくなるように形成されている。これにより、対向した左右の側面１５１，１５１と、対向した前面１５２及び後面１５３は傾斜するとともに、内径寸法が上方へ向かうに従って広がるように設定されており、引出１３，１３同士を重ねて保管できるように構成されている。
【００５４】
この引出１３には、各側面１５１，１５１の下部に引出側レール１６１が固定されており、該引出側レール１６１は、前記フレーム１１より硬質の金属によって構成されている。
【００５５】
この引出側レール１６１は、図９に示したように、レール側壁面１７１とレール天面１７２とからなる断面Ｌ字状に形成されており、前記レール側壁面１７１には、前記引出１３と係合する係止部としての係止爪１７４が複数箇所に切り起こされている。各係止爪１７４は、Ｌ字状に形成されており、当該係止爪１７４は、上方へ向けて延出している。
【００５６】
前記レール側壁面１７１の端部には、本考案の被係合部を構成する引出側ローラー１７５が回転自在に支持されており、該引出側ローラー１７５が位置する前記レール天面１７２の端部には、前記引出側ローラー１７５の上部が突出させる為の切欠部１７６が設けられている。
【００５７】
これにより、図１０に示すように、前記引出１３より側方に突出した前記引出側ローラー１７５は、前記フレーム構成部材２１に設けられた前記フレーム側レール５１に上下から挟まれた状態で案内される一方、前記フレーム構成部材２１に設けられたフレーム側ローラー１２２は、前記引出１３に設けられた前記引出側レール１６１に案内されるように構成されている。
【００５８】
そして、前記フレーム１１から前記引出１３を引き出す際には、前記フレーム構成部材２１に設けられた前記フレーム側ローラー１２２が前記引出１３に設けられた前記引出側レール１６１の前記レール天面１７２を支持する一方、前記引出１３が当該引出１３の荷重によって前のめりになった際には、該引出１３に設けられた前記引出側ローラー１７５が前記フレーム構成部材２１に形成された前記フレーム側レール５１の前記上方ガイド部６２に支持されるように構成されている（図示省略）。
【００５９】
さらに、前記引出１３を引き出した際には、図１１に示すように、前記引出側ローラー１７５が前記フレーム側レール５１の前方切欠部８２から離脱することによって、当該引出１３をチェスト本体１２から取り出せるように構成されている。
【００６０】
一方、前記引出１３の側面１５１には、図１２に示すように、内側へ後退する凹部１８１が前記底面１５４との角部に形成されており、この凹部１８１によって形成された段差からなるレール支持面１８２が当該引出１３の前記側面１５１の直線延長上に形成されている。該レール支持面１８２の奥側には、下方へ向けて突出した下方突出部１８３が形成されており、該下方突出部１８３により形成された段差面１８４には、前記引出側レール１６１の前記係止爪１７４が圧入されるスリットで構成された被係止部としての被係止穴１８５が設けられている。
【００６１】
これにより、前記係止爪１７４が前記被係止穴１８５に圧入された状態において、該被係止穴１８５によって当該被係止穴１８５からの前記係止爪の抜けが防止され、当該引出側レール１６１は下方への抜けが防止されている。
【００６２】
また、前記係止爪１７４と前記レール側壁面１７１とによる挟み込みによっても、当該引出側レール１６１は下方への抜けが防止されている。
【００６３】
このように、本実施の形態では、前記被係止穴１８５と、前記係止爪１７４及び前記レール側壁面１７１による挟み込みとの両者によって、前記当該引出側レール１６１の下方への抜けを防止したが、これに限定されるものではない。どちらか一方のみでも前記引出側レール１６１の下方への抜けを防止することができる。
【００６４】
また、前記引出側レール１６１の前記係止爪１７４を前記引出１３の前記被係止穴１８５に圧入して係止した状態で、前記引出側レール１６１の前記レール側壁面１７１が前記下方突出部１８３の側面に沿って配置される。また、当該レール側壁面１７１が前記引出１３の前記側面１５１の直線延長上に配置された状態で、当該レール側壁面１７１、すなわち前記引出側レール１６１の高さ方向に向いて延在する面の上端部が前記レール支持面１８２に支持されるように構成されており、前記引出側レール１６１に加わる荷重を前記レール支持面１８２で受けられるように構成されている。
【００６５】
なお、前記引出側レール１６１の形状は、前述した形状に限定されるものではなく、例えば前記レール側壁面１７１の下端部をＵ字状に折り返して前記被係止穴１８５に挿入される前記係止爪１７４を形成しても良い。
【００６６】
以上の構成にかかる本実施の形態において、前記引出１３に引出側レール１６１を取り付ける際には、該引出側レール１６１のレール側壁面１７１に設けられた各係止爪１７４，・・・を、前記引出１３に設けられた対応する被係止穴１８５，・・・に圧入して係合する。すると、この係合状態において、前記引出側レール１６１の前記レール側壁面１７１は、前記引出１３に設けられたレール支持面１８２に支持され、当該引出側レール１６１に加わる荷重が当該レール支持面１８２によって支持される。
【００６７】
このため、前記引出側レール１６１に加わる荷重を、前記引出１３に設けられた前記各被係止穴１８５，・・・と前記レール支持面１８２とに分散することができる。
【００６８】
したがって、前記引出側レール１６１に加わる荷重を、前記引出１３に設けられた各被係止穴１８５，・・・のみで支持する場合と比較して、前記引出１３に対する前記引出側レール１６１の取付強度を高めることができる。
【００６９】
また、前記引出１３の前記側面１５１には、内側へ後退する凹部１８１が形成されており、この凹部１８１によって前記支持面１８２が前記側面１５１の延長上に形成されている。
【００７０】
このため、前記引出側レール１６１に加わる荷重を、前記レール支持面１８２を介して当該引出１３の前記側面１５１に入力することができる。これにより、前記引出側レール１６１を前記引出１３の底面１５４で支持する場合と比較して、取付強度をさらに高めることができる。
【００７１】
そして、前記引出側レール１６１の前記レール側壁面１７１の一部を切り起こすことによって、前記係止爪１７４，・・・を形成することができる。また、前記引出１３に前記各係止爪１７４，・・・が挿入されるスリットを設けることによって、前記被係止穴１８５，・・・を形成することができる。
【００７２】
これにより、構成の簡素化を図ることができる。
【００７３】
なお、本実施の形態では、前記引出側レール１６１に前記係止爪１７４を設けるとともに、前記引出１３に前記係止爪１７４が係合する前記被係止穴１８５を設けた場合を例に挙げて説明したが、この構造に限定されるものではない。
【００７４】
（第２の実施の形態）
【００７５】
すなわち、図１３の（ａ）及び（ｂ）に示すように、前記引出１３の側面１５１下部に内側へ後退する凹部２０１，２０１を形成し、この凹部２０１，２０１によって形成された段差からなるレール支持面２０２，２０２を当該引出１３の前記側面１５１の延長上に形成する。
【００７６】
一方、前記引出側レール１６１を、図１３の（ｂ）にも示すように、長尺状の一枚板で構成し、当該引出側レール１６１を前記凹部２０１の奥側面にタッピンねじ２１１で固定する。
【００７７】
この場合には、前記引出側レール１６１の上端を前記レール支持面２０２で支持するように構成する。
【００７８】
（第３実施の形態）
【００７９】
また、図１４に示すように、前記引出側レール１６１の上縁部を側方に屈曲して水平面３０１を形成しても良く、この場合には、該水平面３０１が前記レール支持面２０２に支持される。
【００８０】
（第４実施の形態）
【００８１】
さらに、図１５の（ａ）に示すように、前記引出１３の側面１５１下部に内側へ後退する凹部４０１，４０１を形成するとともに、この凹部４０１，４０１の天面に凹溝４０２，４０２を形成する。
【００８２】
一方、前記引出側レール１６１を長尺状の板材で形成するとともに、該板材の上縁部にＵ字状に折り返した折返し部４１１を形成しても良い。
【００８３】
この場合、前記引出側レール１６１に形成された前記折返し部４１１を、前記引出１３の前記凹溝４０２に内嵌し、当該折返し部４１１の端面を前記凹溝４０２の奥側に形成されたレール支持面４１２で支持するように構成する。
【００８４】
（第５実施の形態）
【００８５】
このとき、図１５の（ｂ）に示すように、前記引出側レール１６１に形成された折返し部４１１を廃止して、当該引出側レール１６１の上縁部を側方に屈曲して水平面５０１を形成しても良く、この場合には、該水平面５０１が前記レール支持面４１２に支持される。
【符号の説明】
【００８６】
１    チェスト
１１    フレーム
１２    チェスト本体
１３    引出
２２    底面
１５１    側面
１６１    引出側レール
１７１    レール側壁面
１７４    係止爪
１８１    凹部
１８２    レール支持面
１８５    被係止穴
２０２    レール支持面
４１２    レール支持面
【図１】
0003149900.tif 000003
【図２】
0003149900.tif 000004
【図３】
0003149900.tif 000005
【図４】
0003149900.tif 000006
【図５】
0003149900.tif 000007
【図６】
0003149900.tif 000008
【図７】
0003149900.tif 000009
【図８】
0003149900.tif 000010
【図９】
0003149900.tif 000011
【図１０】
0003149900.tif 000012
【図１１】
0003149900.tif 000013
【図１２】
0003149900.tif 000014
【図１３】
0003149900.tif 000015
【図１４】
0003149900.tif 000016
【図１５】
0003149900.tif 000017